【手続補正書】
【提出日】平成23年9月13日(2011.9.13)
【手続補正１】
【補正対象書類名】特許請求の範囲
【補正対象項目名】全文
【補正方法】変更
【補正の内容】
【特許請求の範囲】
【請求項１】
印刷装置に対してイメージ形成流体を提供するように構成された流体リザーバにおいて、
突出グリップを備える第1の表面と、
前記流体リザーバが動作するように構成されている向きに前記流体リザーバがあるときに前記第1の表面の下に位置された流体含有ボディであって、そこから延在しているレバーを備えた流体含有ボディと、
を備えており、
前記レバーは、前記流体含有ボディから第１の方向に延在する第１の部分と、前記第１の方向から、前記第１の方向と異なる第２の方向へ延在する第２の部分とを有し、
前記突出グリップと前記レバーの一部との両方が、前記突出グリップに垂直な又は実質的に垂直な方向に印加された締め付け力を受けるように構成されている、流体リザーバ。
【請求項２】
前記レバーが、前記締め付け力がそこに印加されると、前記流体含有ボディに向かって動くように構成されている、請求項１に記載の流体リザーバ。
【請求項３】
前記突出グリップと前記レバーとの両方が、少なくとも（ａ）前記流体リザーバの運搬を容易、（ｂ）シャーシの中へ前記流体リザーバの装填、そして（ｃ）シャーシから前記流体リザーバの開放を容易にするように構成されている、請求項１に記載の流体リザーバ。
【請求項４】
前記レバーの第２の部分が、前記締め付け力が印加され且つ前記流体リザーバが運ばれると、把持されるように構成されている、請求項３に記載の流体リザーバ。
【請求項５】
流体を保有するように構成されている一つの流体チャンバをさらに備えている、請求項１に記載の流体リザーバ。
【請求項６】
各々がそれ自身の流体供給源を保有するように構成されている複数の流体チャンバをさらに備えている、請求項１に記載の流体リザーバ。
【請求項７】
前記突出グリップが、この突出グリップの把持を容易にするように構成されたテクスチャー表面を備えている、請求項１に記載の流体リザーバ。
【請求項８】
前記突出グリップが前記流体含有ボディの端を越えて延在しており、前記流体含有ボディの端が、前記レバーが取り付けられている前記流体含有ボディの表面の端である、請求項１に記載の流体リザーバ。
【請求項９】
前記レバーが、前記突出グリップが前記流体含有ボディから延在しているよりもさらに遠くまで前記流体含有ボディから延在している、請求項８に記載の流体リザーバ。
【請求項１０】
前記レバーが、前記突出グリップと同じ又は実質的に同じ距離だけ前記流体含有ボディから延在している、請求項８に記載の流体リザーバ。
【請求項１１】
前記レバーが、このレバーへ前記締め付け力を印加する指を受けとめるように構成されている、請求項１に記載の流体リザーバ。
【請求項１２】
前記レバーが、前記締め付け力を受けとめるように構成された締め付け力印加部分を備え、
前記締め付け力印加部分のある領域はくぼんでいる、請求項１に記載の流体リザーバ。
【請求項１３】
前記レバーが、前記締め付け力を受けとめるように構成された締め付け力印加表面を備え、
前記締め付け力印加表面はテクスチャーである、請求項１に記載の流体リザーバ。
【請求項１４】
締め付け力印加部分のある領域が、前記第1の表面に平行又は実質的に平行である、請求項１に記載の流体リザーバ。
【請求項１５】
前記レバーを含む表面をさらに備えており、前記締め付け力印加表面のある領域が前記第1の表面に平行又は実質的に平行であり、前記領域が、前記レバーが取り付けられている前記表面に垂直又は実質的に垂直な方向に少なくとも４ｍｍ延在している、請求項１３に記載の流体リザーバ。
【請求項１６】
前記レバーを含む表面をさらに備えており、前記締め付け力印加表面のある領域が前記第1の表面に平行又は実質的に平行であり、前記領域が、前記レバーが取り付けられている前記表面から少なくとも１０ｍｍである距離だけ延在している、請求項１３に記載の流体リザーバ。
【請求項１７】
前記レバーが前記流体含有ボディの表面から延在しており、前記突出グリップが、前記表面が延在している方向に垂直又は実質的に垂直な方向に延在している、請求項１に記載の流体リザーバ。
【請求項１８】
前記突出グリップが、平坦又は実質的に平坦である、請求項１に記載の流体リザーバ。
【請求項１９】
前記突出グリップが、湾曲又は実質的に湾曲である、請求項１に記載の流体リザーバ。
【請求項２０】
湾曲又は実質的に湾曲した前記突出グリップの湾曲形状が、締め付け力を印加する指を受けとめるように構成されている、請求項１９に記載の流体リザーバ。
【請求項２１】
前記突出グリップがへこみを備え、前記へこみが、締め付け力を印加する指を受けとめるように構成されている、請求項１に記載の流体リザーバ。
【請求項２２】
前記突出グリップ及び前記レバーが、シャーシへの挿入時に、前記流体リザーバが前記シャーシに適切に挿入されると可聴音を生成するように構成されている、請求項１に記載の流体リザーバ。
【請求項２３】
印刷装置に対してイメージ形成流体を提供するように構成された流体提供システムにおいて、
(a)突出グリップを備える第1の表面と、(b)前記流体リザーバが動作するように構成されている向きに前記流体リザーバがあるときに前記第1の表面の下に位置された流体含有ボディであって、そこから延在しているレバーを備えた流体含有ボディと、を備えた流体リザーバであって、前記突出グリップと前記レバーとの両方が締め付け力を受けるように構成されている、流体リザーバと、
前記レバーは、前記流体含有ボディから第１の方向に延在する第１の部分と、前記第１の方向から、前記第１の方向と異なる第２の方向へ延在する第２の部分とを有し、
さらに、
前記印刷装置内に前記流体リザーバを保有するように構成されたシャーシを備えており、
前記レバー及び前記シャーシが、前記流体リザーバが前記シャーシに挿入されると可聴音を生成するように相互作用するように構成されており、
前記突出グリップ及び前記レバーが、前記締め付け力が前記突出グリップ及び前記レバーに印加されると前記流体リザーバの前記シャーシからの取り外しを容易にするように構成されている、流体提供システム。
【請求項２４】
印刷装置に対してイメージ形成流体を提供するように構成された流体リザーバにおいて、
突出グリップを備える第1の表面と、
前記流体リザーバが動作するように構成されている向きに前記流体リザーバがあるときに前記第1の表面の下に位置された流体含有ボディであって、そこから延在しているレバーを備えた流体含有ボディと、
を備えており、
前記レバーは、前記流体含有ボディから第１の方向に延在する第１の部分と、前記第１の方向から、前記第１の方向と異なる第２の方向へ延在する第２の部分とを有し、
前記レバーが、少なくとも部分的に、前記流体リザーバが動作するように構成されている向きに前記流体リザーバがあるときに前記突出グリップの下に位置されており、
前記突出グリップと前記レバーとの両方が、締め付け力を受けるように構成されており、
前記レバーが、前記締め付け力がそこに印加されると前記流体含有ボディに向かって動くように構成されている、流体リザーバ。
【請求項２５】
前記レバーが、全体的に、前記流体リザーバが動作するように構成されている向きに前記流体リザーバがあるときに前記突出グリップの下に位置されている、請求項２４に記載の流体リザーバ。
【請求項２６】
印刷装置に対してイメージ形成流体を提供するように構成された流体リザーバにおいて、
突出グリップを備える第1の表面と、
前記流体リザーバが動作するように構成されている向きに前記流体リザーバがあるときに前記第1の表面の下に位置された流体含有ボディであって、そこから延在しているレバーを備えた流体含有ボディと、
を備えており、
前記レバーは、前記流体含有ボディから第１の方向に延在する第１の部分と、前記第１の方向から、前記第１の方向と異なる第２の方向へ延在する第２の部分とを有し、
前記突出グリップと前記レバーとの両方が、締め付け力を受けるように構成されており、
前記レバーが、前記締め付け力がそこに印加されると前記流体含有ボディに向かって動くように構成されており、
前記突出グリップが、前記流体リザーバが動作するように構成されている向きに前記流体リザーバがあるときに、前記流体含有ボディの端を越えて実質的に水平に延在している、流体リザーバ。
【請求項２７】
印刷装置に対してイメージ形成流体を提供するように構成された流体リザーバにおいて、
突出グリップを備える第1の表面と、
前記流体リザーバが動作するように構成されている向きに前記流体リザーバがあるときに前記第1の表面の下に位置された流体含有ボディであって、そこから延在しているレバーを備えた流体含有ボディと、
を備えており、
前記第１の表面と前記突出グリップが単一の平坦又は実質的に平坦な表面が形成され、
前記突出グリップと前記レバーとの両方が、締め付け力を受けるように構成されており、
前記レバーが、前記締め付け力がそこに印加されると前記流体含有ボディに向かって動くように構成されている、流体リザーバ。
【請求項２８】
印刷装置に対してイメージ形成流体を提供するように構成された流体リザーバにおいて、
そこから延在しているレバーを備えた流体含有ボディを備え、
前記レバーは、前記流体含有ボディから第１の方向に延在する第１の部分と、前記第１の方向から、前記第１の方向と異なる第２の方向へ延在する第２の部分とを有し、
さらに、突出グリップを有し、流体含有ボディに取り付けられた蓋を備えており、
前記突出グリップと前記レバーとの両方が、締め付け力を受けるように構成されており、
前記レバーが、前記締め付け力がそこに印加されると前記流体含有ボディに向かって動くように構成されている、流体リザーバ。
【請求項２９】
前記レバーの第２の部分が、前記締め付け力を受けとめるように構成された締め付け力印加部分を備え、
前記締め付け力印加部分のある領域はくぼんでいる、請求項２８に記載の流体リザーバ。
【請求項３０】
前記レバーの第１の部分が、前記蓋に垂直又は実質的に垂直であり、前記レバーの第２の部分が、前記蓋に平行又は実質的に平行である、請求項２８に記載の流体リザーバ。
【請求項３１】
前記レバーの第２の部分が、前記締め付け力を受けとめるように構成された締め付け力印加表面を備え、
前記締め付け力印加表面は、前記締め付け力を印加する指に対して摩擦を誘引するように構成されている、請求項２８に記載の流体リザーバ。
【請求項３２】
前記突出グリップと前記第１の表面は実質的に単一の平坦な平面である、請求項２７に記載の流体リザーバ。
【請求項３３】
印刷装置に対してイメージ形成流体を提供するように構成された流体リザーバにおいて、
突出グリップを備える第１の表面と、
第２の表面と、
前記第１の表面と前記第２の表面との間に延在する少なくとも一つの第３の表面と、
第２の表面から第１の表面へ向かう方向に第３の表面から延在しているレバーと、
を備え、
前記突出グリップと前記レバーの一部との両方が、前記突出グリップに垂直な又は実質的に垂直な方向に印加された締め付け力を受けるように構成されている、流体リザーバ。
【請求項３４】
印刷装置に対してイメージ形成流体を提供するように構成された流体リザーバにおいて、
突出グリップを備える第１の表面と、
第２の表面と、
前記第１の表面と前記第２の表面との間に延在する少なくとも一つの第３の表面と、
第２の表面から第１の表面へ向かう方向に第３の表面から延在しているレバーと、
を備え、
前記レバーが、少なくとも部分的に、前記流体リザーバが動作するように構成されている向きに前記流体リザーバがあるときに前記突出グリップの下に位置されており、
前記突出グリップと前記レバーとの両方が、締め付け力を受けるように構成されている、流体リザーバ。
【請求項３５】
印刷装置に対してイメージ形成流体を提供するように構成された流体リザーバにおいて、
突出グリップを備える第１の表面と、
第２の表面と、
前記第１の表面と前記第２の表面との間に延在する少なくとも一つの第３の表面と、
前記流体リザーバが動作するように構成される向きに前記流体リザーバあるときに、前記第１の表面の下に位置される流体含有ボディと、
第２の表面から第１の表面へ向かう方向に第３の表面から延在しているレバーと、
を備え、
前記突出グリップと前記レバーとの両方が、締め付け力を受けるように構成され、
前記レバーが、前記締め付け力がそこに印加されると、前記流体含有ボディに向かって動くように構成され、
前記突出グリップが、前記流体リザーバが動作するように構成されている向きに前記流体リザーバがあるときに、前記流体含有ボディの端を越えて実質的に平行に延在している、流体リザーバ。
【請求項３６】
印刷装置に対してイメージ形成流体を提供するように構成された流体リザーバにおいて、
第１の表面と、
第２の表面と、
前記第１の表面と前記第２の表面との間に延在する少なくとも一つの第３の表面と、
前記流体リザーバが動作するように構成される向きに前記流体リザーバあるときに、前記第１の表面の下に位置される流体含有ボディと、
第２の表面から第１の表面へ向かう方向に第３の表面から延在しているレバーと、
を備える流体リザーバ。